(57)【要約】【課題】情報処理装置から受信した画像をリアルタイムに投影する際の手順を簡易にして、利用価値を低下させない。【解決手段】接続可能である旨を送信した後、タブレットを識別するＭＡＣアドレスと、複数の投影モードのうち指定された投影モードと、を含む交換データをタブレット１００から受信する通信処理部２１２と、受信した交換データに含まれるＭＡＣアドレスから、交換データを送信したタブレット１００を特定する装置特定部２１４と、プロジェクタ２００の投影モードを、受信した交換データに含まれる指定された投影モードに切り替えるモード切替部２１８と、切り替えられた投影モードに従って、特定されたタブレット１００から受信した画像を投影する投影部２２０と、を備える。【選択図】図２
2016039557.tif 000002
【特許請求の範囲】
【請求項１】
情報処理装置とネットワークを介して接続される投影装置において、
接続可能である旨を送信した後、前記情報処理装置を識別する装置識別情報と、複数の投影モードのうち指定された投影モードと、を含む交換データを前記情報処理装置から受信する通信処理手段と、
受信した前記交換データに含まれる前記装置識別情報から、前記交換データを送信した前記情報処理装置を特定する装置特定手段と、
前記投影装置の投影モードを、受信した前記交換データに含まれる前記指定された投影モードに切り替えるモード切替手段と、
切り替えられた前記投影モードに従って、特定された前記情報処理装置から受信した画像を投影する投影手段と、
を備えることを特徴とする投影装置。
【請求項２】
前記通信処理手段は、複数の通信経路が設けられ、前記複数の通信経路を利用して前記接続可能である旨を送信することを特徴とする請求項１に記載の投影装置。
【請求項３】
前記交換データは、前記投影装置の投影モードを切り替えるタイミングを示すタイミング情報をさらに含み、
前記モード切替手段は、受信した前記交換データに含まれる前記タイミング情報が示すタイミングにより、前記投影装置の投影モードを前記指定された投影モードに切り替えることを特徴とする請求項１または２に記載の投影装置。
【請求項４】
前記タイミング情報は、前記情報処理装置が特定された場合に前記投影装置の投影モードを切り替える旨を示すことを特徴とする請求項３に記載の投影装置。
【請求項５】
前記モード切替手段は、前記タイミング情報において前記投影モードを切り替えるタイミングが示されていない場合、前記投影装置の投影モードを前記指定された投影モードに切り替えることなく待機し、
前記通信処理手段は、前記投影装置の投影モードを切り替える旨の指示をさらに受信し、
前記モード切替手段は、前記指示を受信した場合、前記投影装置の投影モードを前記指定された投影モードに切り替えることを特徴とする請求項３に記載の投影装置。
【請求項６】
投影する画像の重要度を設定する重要度設定手段をさらに備え、
前記モード切替手段は、投影中の画像の前記重要度が所定の閾値より高い場合、前記投影装置の投影モードを前記指定された投影モードに切り替えないことを特徴とする請求項１〜５のいずれか一つに記載の投影装置。
【請求項７】
前記投影装置の投影モードを前記指定された投影モードに切り替えなかった場合、その旨を報知する報知手段をさらに備えることを特徴とする請求項６に記載の投影装置。
【請求項８】
前記通信処理手段は、前記指定された投影モードが、前記情報処理装置から受信した画像を投影する投影モードではなかった場合、前記情報処理装置から受信した画像を投影可能である旨を、特定された前記情報処理装置に通知することを特徴とする請求項１〜７のいずれか一つに記載の投影装置。
【請求項９】
前記複数の通信経路は、アドホック接続およびＷｉＦｉ-Ｄｉｒｅｃｔ接続の組み合わせか、ＷｉＦｉ-Ｄｉｒｅｃｔ接続同士の組み合わせであることを特徴とする請求項２に記載の投影装置。
【請求項１０】
情報処理装置と、ネットワークを介して接続される投影装置とを備える投影システムにおいて、
前記投影装置は、
接続可能である旨を送信した後、情報処理装置を識別する装置識別情報と、複数の投影モードのうち指定された投影モードと、を含む交換データを前記情報処理装置から受信する第１通信処理手段と、
受信した前記交換データに含まれる前記装置識別情報から、前記交換データを送信した前記情報処理装置を特定する装置特定手段と、
前記投影装置の投影モードを、受信した前記交換データに含まれる前記指定された投影モードに切り替えるモード切替手段と、
切り替えられた前記投影モードに従って、特定された前記情報処理装置から受信した画像を投影する投影手段と、を備え、
前記情報処理装置は、
前記接続可能である旨を受信した後、前記交換データを前記投影装置に送信する第２通信処理手段を備えることを特徴とする投影システム。
【請求項１１】
情報処理装置とネットワークを介して接続される投影装置において実行される投影方法において、
接続可能である旨を送信した後、前記情報処理装置を識別する装置識別情報と、複数の投影モードのうち指定された投影モードと、を含む交換データを前記情報処理装置から受信する通信処理ステップと、
受信した前記交換データに含まれる前記装置識別情報から、前記交換データを送信した前記情報処理装置を特定する装置特定ステップと、
前記投影装置の投影モードを、受信した前記交換データに含まれる前記指定された投影モードに切り替えるモード切替ステップと、
切り替えられた前記投影モードに従って、特定された前記情報処理装置から受信した画像を投影する投影ステップと、
を含むことを特徴とする投影方法。
【発明の詳細な説明】
【技術分野】
【０００１】
本発明は、投影装置、投影システム、および投影方法に関する。
【背景技術】
【０００２】
従来から、タブレットなどの情報処理装置と、プロジェクタなどの投影装置とを無線ＬＡＮ（Local  Area  Network）で接続し、情報処理装置からの画像をストリーミング方式で投影装置に送信し、投影装置で情報処理装置の画面の画像をそのままリアルタイムに投影できる技術が知られている。
【０００３】
例えば、コンテンツの無線投影時において、画像の投影に合わせて各種コンテンツ情報を配信する投影システムが開示されている（特許文献１参照）。この投影システムでは、データプロジェクタ（投影装置）で可視光通信を伴う画像投影を実行し、一方でパーソナルコンピュータが投影画像中に含まれている可視光通信のデータコンテンツを受信し、受信したデータコンテンツに対応した再生動作を行なうものである。
【発明の概要】
【発明が解決しようとする課題】
【０００４】
しかしながら、従来の投影装置では、情報処理装置の画面をそのままリアルタイムに投影する場合、複数の無線ＬＡＮ接続モードで待ち受けることが不可能であった。このため、投影装置の投影モードを、予め情報処理装置から受信した画像をストリーミング方式によりリアルタイムに投影するモード（以下、ストリーミングモードと称する。）に設定しておき、さらに、情報処理装置からリアルタイムに投影するための手順を実施することで、はじめて投影装置に情報処理装置から受信した画像を投影できる状態となっていた。
【０００５】
このように、従来の投影装置では、投影モードをストリーミングモードにするという手順が煩雑となっていた。また、投影装置の操作が手元で行える状態でない場合、リモコンなどを用いてストリーミングモードに切り替える必要が生じたりして、さらに情報処理装置から受信した画像を投影するまでの手順が煩雑となっていた。特許文献１の投影システムにおいても、画像に符号を追加したり、それを読み取る素子を必要とするため、ストリーミングモードにおいての画像の投影手順が煩雑となっている。そして、このように手順が煩雑になると、投影装置において情報処理装置から受信した画像のリアルタイム投影を使用する頻度が下がり、投影装置の利用価値を低下させてしまうという問題があった。
【０００６】
本発明は、上記に鑑みてなされたものであって、画像をリアルタイムで投影する際の手順を簡易にして、利用価値を低下させない投影装置、投影システム、および投影方法を提供することを目的とする。
【課題を解決するための手段】
【０００７】
上述した課題を解決し、目的を達成するために、本発明は、情報処理装置とネットワークを介して接続される投影装置において、接続可能である旨を送信した後、前記情報処理装置を識別する装置識別情報と、複数の投影モードのうち指定された投影モードと、を含む交換データを前記情報処理装置から受信する通信処理手段と、受信した前記交換データに含まれる前記装置識別情報から、前記交換データを送信した前記情報処理装置を特定する装置特定手段と、前記投影装置の投影モードを、受信した前記交換データに含まれる前記指定された投影モードに切り替えるモード切替手段と、切り替えられた前記投影モードに従って、特定された前記情報処理装置から受信した画像を投影する投影手段と、を備えることを特徴とする。
【発明の効果】
【０００８】
本発明によれば、画像をリアルタイムで投影する際の手順を簡易にして、利用価値を低下させないという効果を奏する。
【図面の簡単な説明】
【０００９】
【図１】図１は、実施の形態にかかる投影システムの全体構成を示す図である。
【図２】図２は、実施の形態にかかるタブレットおよびプロジェクタの構成を示すブロック図である。
【図３】図３は、プロジェクタとタブレット間のデータ交換処理を示すシーケンス図である。
【図４】図４は、交換データの一例を示す図である。
【図５】図５は、実施の形態にかかるプロジェクタにおける投影処理の流れを示すフローチャートである。
【図６】図６は、実施の形態にかかるプロジェクタにおける投影モード切り替え処理の流れを示すフローチャートである。
【図７】図７は、実施の形態にかかるタブレットのハードウェア構成例を示す図である。
【図８】図８は、実施の形態にかかるプロジェクタのハードウェア構成例を示す図である。
【発明を実施するための形態】
【００１０】
以下に添付図面を参照して、投影装置、投影システム、および投影方法の実施の形態を詳細に説明する。
【００１１】
図１は、実施の形態にかかる投影システムの全体構成を示す図である。図１に示すように、本実施の形態にかかる投影システムは、タブレット１００およびプロジェクタ２００から構成されている。タブレット１００は情報処理装置の一例であり、プロジェクタ２００は投影装置の一例である。
【００１２】
タブレット１００は、無線電波を介して、プロジェクタ２００に画像をストリーミング方式で送信できる端末である。ストリーミング方式とは、ネットワークを介して映像や音声などのマルチメディアデータを視聴する際に、データを受信しながら同時に再生を行う方式である。
【００１３】
プロジェクタ２００は、タブレット１００からストリーミング方式で送信された画像を受信し、受信した画像をレンズ２０２を介してスクリーン２０４に投影画像２０６として投影する。
【００１４】
また、プロジェクタ２００は、図１に示す無線電波１と無線電波２のように無線を待ち受けできる無線通信経路（通信経路）が少なくとも２つ以上設けられており、この無線電波１、２を利用して、タブレット１００と無線電波３を介して通信を行う。
【００１５】
なお、本実施の形態のプロジェクタ２００では、２つの無線電波（１、２）によりタブレット１００と通信を行う例を示しているが、これに限定されることはなく、アドホックモードとＷｉＦｉ-Ｄｉｒｅｃｔモードの組み合わせ（アドホック接続およびＷｉＦｉ-Ｄｉｒｅｃｔ接続の組み合わせ）か、ＷｉＦｉ-ＤｉｒｅｃｔモードとＷｉＦｉ-Ｄｉｒｅｃｔモードの組み合わせ（ＷｉＦｉ-Ｄｉｒｅｃｔ接続同士の組み合わせ）などで、２つ以上の無線通信経路により接続の待ち受けが可能となっていればよい。これにより、新たに無線で接続する技術を追加するのではなく、従来の無線接続規格を用いて実現できる。
【００１６】
なお、本実施の形態におけるストリーミングモード（ストリーミング方式によって画像を投影するモード）によって画像を投影するためには、プロジェクタ２００が少なくとも１つの電波をＷｉＦｉ-Ｄｉｒｅｃｔモードで待ち受けることを前提としている。
【００１７】
図２は、実施の形態にかかるタブレットおよびプロジェクタの構成を示すブロック図である。以下では、まずプロジェクタ２００について説明する。図２に示すように、プロジェクタ２００は、制御部２１０と、通信処理部２１２と、装置特定部２１４と、モード判断部２１６と、モード切替部２１８と、投影部２２０と、状態判断部２２２と、重要度設定部２２４と、報知部２２６と、記憶部２４０とを備え、レンズ２０２が設けられている。レンズ２０２は、上述したように、スクリーン２０４に投影画像２０６を投影するレンズである。
【００１８】
記憶部２４０は、各種プログラムやデータを記憶する記憶媒体である。制御部２１０は、プロジェクタ２００全体を制御するものである。
【００１９】
通信処理部２１２は、上述したように本実施の形態では２つ無線通信経路が設けられており、当該２つの無線通信経路を利用して接続可能である旨を送信して、プロジェクタ２００がタブレットに対して接続できることを周知する。これにより、一方の通信経路を他のタブレットなどに利用されていたとしても、他方の通信経路を利用して、タブレット１００と交換データを送受信することができる。
【００２０】
次に、タブレット１００と接続される場合、通信処理部２１２は、タブレット１００を識別する識別情報（装置識別情報）と、複数の投影モードのうち指定された投影モードと、を含む交換データを、タブレット１００から受信する。本実施の形態では、通信処理部２１２は、タブレット１００を識別する「ＭＡＣアドレス（Media  Access  Control  address）」と、タブレット１００により指定された投影モードであって、タブレット１００から受信した画像をスクリーン２０４（図１参照）にストリーミング方式により投影する投影モードである「ストリーミングモード」と、を含む交換データを、タブレット１００から受信する。
【００２１】
ここで、投影モードとは、プロジェクタ２００においてタブレット１００から受信した画像を投影する際の投影動作を決定するモードであって、複数の投影モードがある。この投影モードの一つとして、ストリーミングモード（ストリーミング方式によって画像を投影するモード）がある。本実施の形態では、タブレット１００がプロジェクタ２００にストリーミングモードに切り替えるよう要求すると、プロジェクタ２００が投影モードをストリーミングモードに切り替えて、タブレット１００から受信した画像をストリーミング方式で投影する。
【００２２】
以下に、プロジェクタ２００とタブレット１００との間のデータの交換処理についての具体例を示す。図３は、プロジェクタとタブレット間のデータ交換処理を示すシーケンス図である。
【００２３】
プロジェクタ２００とタブレット１００とは、無線通信によってデータ交換を行う。図３に示すように、本実施の形態のプロジェクタ２００は、２つの通信経路を利用して、「Beacon１ａ」および「Beacon２ａ」の無線信号（無線電波）を待ち受けとして送信する（ステップＳ１０、ステップＳ１２）。このように、プロジェクタ２００は、「Beacon１ａ」「Beacon２ａ」により不特定のタブレットに対して接続できることを周知する。なお、「Beacon（ビーコン）」は、自らの存在を知らせるために発する無線信号である。
【００２４】
これにより、タブレット１００は、仮にプロジェクタ２００の「Beacon１ａ」または「Beacon２ａ」のいずれかを図示しない情報端末において利用されていた場合でも、もう一方の無線通信経路を利用して、プロジェクタ２００との通信が可能となる。このため、タブレット１００は、接続可能なプロジェクタ２００を発見することができる。
【００２５】
次に、タブレット１００は、プロジェクタ２００から送信された「Beacon１ａ」または「Beacon２ａ」により検知できたプロジェクタ２００に対して、「Probe  Request（プローブ要求）」を送信することで、ストリーミング方式で接続したいことを要求する（ステップＳ１４）。そして、ストリーミング方式による接続が可能である場合、プロジェクタ２００は、「Probe  Response（プローブ応答）」を送信することで応答し、接続したいタブレット１００が存在することを認識する（ステップＳ１６）。
【００２６】
ここで、図３のシーケンス図において、「Probe  Request」および「Probe  Response」において交換される交換データについて説明する。図４は、交換データの一例を示す図である。なお、無線通信において交換される交換データは、図４に示す情報だけではないが、ここでは、本実施の形態の説明において必要な情報のみをピックアップして記載している。
【００２７】
図４に示すように、本実施の形態の交換データには、プロジェクタ２００の識別情報であるＭＡＣアドレス「PJS_00_00_00_00」、およびタブレット１００の識別情報であるＭＡＣアドレス「tablet_00_00_00_00」が含まれている。また、本実施の形態の交換データには、タブレット１００がプロジェクタ２００に切り替えを指定する投影モードとして「ストリーミングモード」が含まれている。プロジェクタ２００は、交換データにおけるこれらの情報をもとに、交換データの送信元のタブレットを特定し、さらに特定されたタブレットに指定されている投影モードを判断することになる。
【００２８】
また、図４では記載していないが、交換データは、プロジェクタ２００の投影モードを指定された投影モードに切り替えるタイミングを示すタイミング情報を含めることができる。タイミング情報を含めることで、交換データを受信したプロジェクタ２００が、交換データにおいて指定された投影モードに切り替えるタイミングを指定することができる。
【００２９】
例えば、タブレット１００が特定された場合にプロジェクタ２００の投影モードを切り替える旨を示すタイミング情報を交換データに含めた場合、プロジェクタ２００は、タブレット１００を特定して交換データを受信すると、現在の投影モードを指定されている投影モードに切り替える処理を行う。つまり、交換データを受信すると自動的に投影モードの切り替えを行うように設定できる。
【００３０】
この自動的とは、ユーザが投影モードを切り替える操作を必要とすることなく、プロジェクタ２００が受信した交換データによってプロジェクタ２００の投影モードを切り替えるような場合を示している。このように、ユーザにより切り替えタイミングを細かく指定できるため、利便性が向上する。また、プロジェクタ２００は、自動ですべて判断する設定にすれば、ユーザへの負担を軽減することができる。
【００３１】
また、通信処理部２１２は、タブレット１００の投影モードを指定された投影モードに切り替える旨の指示（切り替え指示）を受信する。例えば、タブレット１００から交換データを受信しても、交換データに含まれているタイミング情報において投影モードを切り替えるタイミングが示されていない場合、プロジェクタ２００は投影モードを指定された投影モードに切り替えずに待機することになる。その後、プロジェクタ２００が上述した切り替え指示を受信した場合、プロジェクタ２００の投影モードを指定された投影モードに切り替える。なお、切り替え指示は、専用のアプリを用いてもよいし、図４に示した交換データに追加して受信してもよい。
【００３２】
さらに、通信処理部２１２は、受信した交換データにおいて、指定された投影モードがタブレット１００から受信した画像を投影する投影モードでなかった場合、すなわちストリーミングモードではなかった場合、タブレット１００から受信した画像を投影可能である旨を、特定されたタブレット１００に通知する。これにより、タブレット１００の操作がわからないユーザに対しても投影を促すことができる。また、通信処理部２１２は、タブレット１００から受信した画像を投影する際、タブレット１００との接続処理を行い、画像を受信する。
【００３３】
装置特定部２１４は、通信処理部２１２により受信した交換データに含まれるＭＡＣアドレス等の識別情報から、交換データを送信したタブレット１００を特定するものである。
【００３４】
モード判断部２１６は、通信処理部２１２により受信した交換データに含まれる各種情報から、タブレット１００に指定された投影モードを判断するものである。
【００３５】
モード切替部２１８は、通信処理部２１２により受信した交換データにタイミング情報が含まれていた場合、当該タイミング情報において示されたタイミングにより、プロジェクタ２００の投影モードを、モード判断部２１６により判断された投影モード（指定された投影モード）に切り替える。従って、タイミング情報においてユーザの利用状況に合わせた切り替えタイミングを指定することができ、利便性が向上する。
【００３６】
また、モード切替部２１８は、交換データに含まれるタイミング情報において投影モードを切り替えるタイミングが示されていない場合、タイミング情報において投影モードを切り替えない旨が示されていることとなり、プロジェクタ２００の投影モードを指定された投影モードに切り替えることなく待機する。
【００３７】
さらに、モード切替部２１８は、タブレット１００から投影モードを切り替える旨の指示（切り替え指示）を受信した場合、待機状態であっても、プロジェクタ２００の投影モードを、モード判断部２１６により判断された投影モード（指定された投影モード）に切り替える。
【００３８】
モード切替部２１８は、後述する重要度設定部２２４により設定された投影中の画像の重要度が予め定めた所定の閾値より高く、後述する状態判断部２２２により投影モードを切り替えないと判断された場合、プロジェクタ２００の投影モードを、モード判断部２１６により判断された投影モード（指定された投影モード）には切り替えない。
【００３９】
モード切替部２１８は、モード判断部２１６により判断された投影モード（指定された投影モード）がストリーミングモードではなかった場合、プロジェクタ２００の投影モードを切り替えず、現在の投影モードを継続する。
【００４０】
投影部２２０は、モード切替部２１８により切り替えられた投影モードに従って、特定されたタブレット１００から受信した画像をスクリーン２０４に投影する。
【００４１】
状態判断部２２２は、後述する重要度設定部２２４により設定された、投影中の画像の重要度によって、プロジェクタ２００の投影モードの切り替えが可能な状態か否かを判断する。すなわち、状態判断部２２２は、投影中の画像の重要度が所定の閾値より低い場合、プロジェクタ２００の投影モードを切り替えられる状態であると判断する。
【００４２】
一方、投影中の画像の重要度が予め定めた所定の閾値より高い場合、プロジェクタ２００の投影モードを切り替える状態ではないと判断する。重要な情報を投影している最中に投影モードを切り替えないことで、情報の伝達漏れなどを軽減できる。
【００４３】
重要度設定部２２４は、投影する画像の重要度を設定するものである。この重要度は、いずれの方法で設定してもよいが、例えば、数値で段階ごとに定められた情報を参照して決定されるものとし、災害情報などの重要な画像情報に対しては重要度を高く設定できる。これにより、自動で投影モードを切り替えないようにすることが可能となる。
【００４４】
報知部２２６は、プロジェクタ２００の投影モードを、なんらかの理由で判断された投影モード（指定された投影モード）に切り替えなかった場合、その旨を報知するものである。具体的には、例えば、報知部２２６は、指定された投影モードに切り替えなかった旨を、プロジェクタ２００の投影画面にポップアップで報知してもよいし、通信処理部２１２を用いてタブレット１００に送信することで報知してもよい。これによって、ユーザが指定された投影モードを切り替えられなかった理由を認識することができる。
【００４５】
次に、タブレット１００について説明する。図２に示すように、タブレット１００は、制御部１０２と、通信処理部１０４と、表示処理部１０６と、入力受付部１０８と、記憶部１２０と、を備えている。
【００４６】
記憶部１２０は、各種プログラムやデータを記憶する記憶媒体である。制御部１０２は、タブレット１００全体を制御するものであり、記憶部１２０に記憶されているプログラムを実行する。
【００４７】
通信処理部１０４は、プロジェクタ２００から、無線通信経路により接続可能である旨を受信する。また、プロジェクタ２００と接続される場合、通信処理部１０４は、タブレット１００のＭＡＣアドレス等の装置の識別情報と、プロジェクタ２００に切り替えを指定する投影モードと、を含む交換データを、プロジェクタ２００に送信する。この交換データには、上述のタイミング情報を含めてもよい。
【００４８】
通信処理部１０４は、後述の入力受付部１０８よりユーザから投影モードを切り替える指示（切り替え指示）を受け付けた場合、当該切り替え指示をプロジェクタ２００に送信する。また、通信処理部１０４は、送信した交換データにおいて指定した投影モードがストリーミングモードではなかった場合、タブレット１００から受信した画像を投影可能である旨の通知を受信する。さらに、通信処理部１０４は、プロジェクタ２００においてなんらかの理由で指定した投影モードに切り替えられなかった場合、プロジェクタ２００からその旨の報知を受信する。
【００４９】
表示処理部１０６は、各種情報を表示部に表示するものである。本実施の形態では、表示処理部１０６は、通信処理部１０４から受信した、タブレット１００から受信した画像を投影可能である旨の通知を表示部に表示する。また、表示処理部１０６は、通信処理部１０４から受信した、プロジェクタ２００においてなんらかの理由で指定した投影モードに切り替えられなかった旨の報知を表示部に表示する。
【００５０】
入力受付部１０８は、各種情報を入力部から受け付けるものである。本実施の形態では、入力受付部１０８は、ユーザからプロジェクタ２００の投影モードを切り替える旨の指示や投影モードを切り替えるタイミングの指示を受け付ける。
【００５１】
次に、本実施の形態にかかる投影システムにおいて、タブレット１００から交換データを受信したプロジェクタ２００が、投影モードを切り替えて投影を開始するまでの処理の流れについて説明する。図５は、実施の形態にかかるプロジェクタにおける投影処理の流れを示すフローチャートである。
【００５２】
まず、プロジェクタ２００は、投影する画像を送信するタブレット１００を認識したか否かを判断し（ステップＳ１０）、認識していない場合（ステップＳ１０：Ｎｏ）、そのまま待機する。
【００５３】
一方、タブレット１００を認識した場合（ステップＳ１０：Ｙｅｓ）、すなわち、装置特定部２１４が、通信処理部２１２により受信した交換データを送信したタブレット１００を特定した場合、モード判断部２１６は、受信した交換データから指定された投影モードを判断する（ステップＳ１２）。
【００５４】
そして、モード切替部２１８は、判断された投影モード（指定された投影モード）から、プロジェクタ２００に対してストリーミングモードへの切り替えを要求されているか否かを判断する（ステップＳ１４）。
【００５５】
ストリーミングモードへの切り替えを要求されていない場合（ステップＳ１４：Ｎｏ）、モード切替部２１８は、プロジェクタ２００の投影モードを切り替えず、現在の投影モードを継続する（ステップＳ１６）。そして、通信処理部２１２は、タブレット１００に対して、投影モードをストリーミングモードへ切り替え可能な旨、すなわち、タブレット１００から受信した画像を投影可能である旨を通知し（ステップＳ１８）、処理を終了する。
【００５６】
一方、ストリーミングモードへの切り替えを要求されている場合（ステップＳ１４：Ｙｅｓ）、モード切替部２１８は、投影モードの切り替えが必要か否かを判断する（ステップＳ２０）。
【００５７】
投影モードの切り替えが必要ない場合（ステップＳ２０：Ｎｏ）、つまり既にストリーミングモードが設定されている場合、通信処理部２１２は、タブレット１００との接続処理を行う（ステップＳ２２）。そして、投影部２２０は、タブレット１００から受信した画像の投影を開始する（ステップＳ２６）。
【００５８】
一方、投影モードの切り替えが必要である場合（ステップＳ２０：Ｙｅｓ）、モード切替部２１８は、投影モード切り替え処理を行う（ステップＳ２４）。この投影モード切り替え処理については、図６において詳述する。そして、投影部２２０は、タブレット１００から受信した画像の投影を開始する（ステップＳ２６）。
【００５９】
なお、ステップＳ１８において、通信処理部２１２が投影モードをストリーミングモードへ切り替え可能な旨を通知しているが、この通知処理は行わない設定としてもよい。
【００６０】
次に、ステップＳ２４における投影モード切り替え処理の詳細を説明する。図６は、実施の形態にかかるプロジェクタにおける投影モード切り替え処理の流れを示すフローチャートである。
【００６１】
図５のステップＳ２０において投影モードの切り替えが必要であった場合、モード切替部２１８は、投影モードの切り替えを自動で行うか否かを判断する（ステップＳ４０）。すなわち、モード切替部２１８は、受信した交換データに含まれているタイミング情報において、タブレット１００が特定された場合に投影モードを切り替える旨が示されているか否かを判断する。
【００６２】
投影モードの切り替えを自動で行わない場合（ステップＳ４０：Ｎｏ）、すなわち、タイミング情報において投影モードに切り替えるタイミングが示されていなかった場合、通信処理部２１２は、タブレット１００との接続処理を行う（ステップＳ４２）。
【００６３】
そして、モード切替部２１８は、通信処理部２１２により、投影モードの切り替え指示を受信したか否かを判断する（ステップＳ４４）。投影モードの切り替え指示を受信していない場合は（ステップＳ４４：Ｎｏ）、そのまま待機する。
【００６４】
一方、投影モードの切り替え指示を受信した場合（ステップＳ４４：Ｙｅｓ）、モード切替部２１８は、プロジェクタ２００の投影モードを、タブレット１００から指定されたストリーミングモードに切り替えて（ステップＳ４６）、投影開始（図５、ステップＳ２６）へ戻る。
【００６５】
ステップＳ４０において、投影モードの切り替えを自動で行う場合（ステップＳ４０：Ｙｅｓ）、すなわち、タイミング情報においてタブレット１００が特定された場合に投影モードに切り替える旨が示されていた場合、状態判断部２２２は、プロジェクタ２００の投影モードの切り替えが可能か否かを判断する（ステップＳ４８）。状態判断部２２２は、例えば、投影中の画像の重要度が所定の閾値より高いか否かで判断する。
【００６６】
プロジェクタ２００の投影モードの切り替えが可能である場合（ステップＳ４８：Ｙｅｓ）、すなわち、投影中の画像の重要度が所定の閾値より低い場合、モード切替部２１８は、プロジェクタ２００の投影モードを、タブレット１００から指定されたストリーミングモードに切り替える（ステップＳ５０）。そして、通信処理部２１２は、タブレット１００との接続処理を行い（ステップＳ５２）、投影開始（図５、ステップＳ２６）へ戻る。
【００６７】
一方、プロジェクタ２００の投影モードの切り替えが可能でない場合（ステップＳ４８：Ｎｏ）、すなわち、投影中の画像の重要度が所定の閾値より高い場合、モード切替部２１８は、投影モードを切り替えず、現在の投影モードを継続する（ステップＳ５４）。そして、報知部２２６は、投影モードをストリーミングモードへ切り替え不可な旨を報知し（ステップＳ５６）、処理を終了する。
【００６８】
このように、本実施の形態の投影システムは、まず、交換データを送受信することによりタブレット１００およびプロジェクタ２００がお互いを認識する。その後、プロジェクタ２００において、当該交換データに含まれている指定された投影モードと、投影モードの切り替えタイミングを示すタイミング情報とにより、タブレット１００からタイミング情報が示すタイミングで指定された投影モード（ストリーミングモード）に切り替えて、タブレット１００から受信した画像をリアルタイムにプロジェクタ２００に投影する。
【００６９】
これにより、プロジェクタ２００は、タブレット１００から受信した画像をリアルタイムに投影できる投影モード（ストリーミングモード）以外の投影モードで待機した場合であっても、手動でストリーミングモードに切り替えることなく、プロジェクタ２００が投影モードを自動でストリーミングモードに切り替えることによって、タブレット１００から受信した画像をリアルタイムに投影することができる。また、複数の無線通信経路を同時に起動させておくため、使用中の無線通信経路があっても、使用されていない無線通信経路でタブレット１００からの交換データを受信することができる。従って、プロジェクタ２００においてタブレット１００から受信した画像をリアルタイムに投影する際の手順を簡易にして、利用価値を低下させることがない。
【００７０】
次に、図７を用いて、実施の形態にかかるタブレットのハードウェア構成について説明する。図７は、実施の形態にかかるタブレットのハードウェア構成例を示す図である。図７に示すように、実施の形態にかかるタブレット１００は、ＣＰＵ（Central  Processing  Unit）５１などの制御装置と、ＲＯＭ（Read  Only  Memory）５２やＲＡＭ（Random  Access  Memory）５３などの記憶装置と、ネットワークに接続して通信を行う通信Ｉ／Ｆ５４と、ＨＤＤ（Hard  Disk  Drive）、ＣＤ（Compact  Disc）ドライブ装置などの外部記憶装置と、ディスプレイ装置などの表示装置と、キーボードやマウスなどの入力装置と、各部を接続するバス６１を備えており、通常のコンピュータを利用したハードウェア構成となっている。
【００７１】
次に、図８を用いて、実施の形態にかかるプロジェクタのハードウェア構成について説明する。図８は、実施の形態にかかるプロジェクタのハードウェア構成例を示す図である。図８に示すように、プロジェクタ２００は、ＣＰＵ１１と、ＲＯＭ１２と、ＲＡＭ１３と、投影装置１５と、Ｉ／Ｆ１６とを有する。これらのうち、ＣＰＵ１１は、プロジェクタ２００の全体制御を行なう。ＲＯＭ１２は、ＣＰＵ１１の制御により実行される処理で利用されるプログラムや各種データを記憶する。ＲＡＭ１３は、ＣＰＵ１１の制御により実行される処理で利用されるデータ等を一時的に記憶する。投影装置１５は、ＲＡＭ１３上に展開されたコンテンツ画像を投影する。Ｉ／Ｆ１６は、外部機器等と各種データのやり取りを行なう。Ｉ／Ｆ１６は、例えば、赤外線通信、ＵＳＢ（Universal  Serial  Bus）、ＬＡＮ（Local  Area  Network）、ＩＥＥＥ１３９４等のためのインタフェースである。
【００７２】
本実施の形態の投影システムで実行される投影プログラムは、インストール可能な形式または実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００７３】
また、本実施の形態の投影システムで実行される投影プログラムを、インターネット等のネットワークに接続されたコンピュータ上に格納し、ネットワーク経由でダウンロードさせることにより提供するように構成してもよい。また、本実施の形態の投影システムで実行される投影プログラムをインターネット等のネットワーク経由で提供または配布するように構成してもよい。また、本実施の形態の投影プログラムを、ＲＯＭ等に予め組み込んで提供するように構成してもよい。
【００７４】
本実施の形態の投影システムで実行される投影プログラムは、上述した各部を含むモジュール構成となっており、実際のハードウェアとしてはＣＰＵ（プロセッサ）が上記記録媒体から投影プログラムを読み出して実行することにより上記各部が主記憶装置上にロードされ、上述の各部が主記憶装置上に生成されるようになっている。また、例えば、上述した各部の機能のうちの一部または全部が専用のハードウェア回路で実現されてもよい。
【００７５】
なお、この形態は本発明の範囲を限定するものではなく、投影装置および情報処理装置の一部の機能（例えば、装置特定部やモード切替部など）を、ネットワークを介して接続されるサーバ等に備えさせた構成としてもよい。なお、この実施の形態で説明する投影装置と情報処理装置とが接続されたシステム構成は一例であり、用途や目的に応じて様々なシステム構成例があることは言うまでもない。
【符号の説明】
【００７６】
１、２、３  無線電波
１００  タブレット
１０２  制御部
１０４  通信処理部
１０６  表示処理部
１０８  入力受付部
１２０  記憶部
２００  プロジェクタ
２０２  レンズ
２０４  スクリーン
２０６  投影画像
２１０  制御部
２１２  通信処理部
２１４  装置特定部
２１６  モード判断部
２１８  モード切替部
２２０  投影部
２２２  状態判断部
２２４  重要度設定部
２２６  報知部
２４０  記憶部
【先行技術文献】
【特許文献】
【００７７】
【特許文献１】特開２０１１−２５２９７１号公報
【図１】
2016039557.tif 000003
【図２】
2016039557.tif 000004
【図３】
2016039557.tif 000005
【図４】
2016039557.tif 000006
【図５】
2016039557.tif 000007
【図６】
2016039557.tif 000008
【図７】
2016039557.tif 000009
【図８】
2016039557.tif 000010